(57)【要約】      （修正有）【課題】着脱に便利なスプリングベッドを提供する。【解決手段】対称に配置される二本の平行な横棒１０と数本の間隔を置いて配置される縦棒２０を含み、縦棒２０の両端はそれぞれ取外し可能に二本の横棒１０に取り付けられ、さらに若干のスプリング３０を含み、縦棒２０に、長さの方向に沿って間隔を置いて若干の固定座が設置され、スプリング３０は取外し可能に固定座に取り付けられる。縦棒２０の両端は取外し可能にそれぞれ二本の横棒１０に接続され、縦棒２０が取り外されると、単独梱包することができる。スプリング３０は取外し可能に固定座に取り付けられ、スプリング３０が取り外されると、単独梱包することができる。スプリングベッドには保存に便利で携帯に便利なメリットがある。その他、スプリング３０があることで、快適性が大幅に向上し、消費者のニーズを満足することができる。【選択図】図１
0003215712.tif 000002
【実用新案登録請求の範囲】
【請求項１】
対称に配置される二本の平行な横棒と間隔を置いて平行配置される数本の縦棒を含む着脱に便利なスプリングベッドであって、
縦棒の両端をそれぞれ取外し可能に二本の横棒に取り付け、さらに若干のスプリングを含み、前記縦棒に、長さの方向に沿って間隔を置いて若干の固定座が設置され、前記スプリングを取外し可能に前記固定座に取り付け、梱包する時に、一セットの縦棒のテーパばねを交差可能に互いに嵌合させる、
ことを特徴とする着脱に便利なスプリングベッド。
【請求項２】
前記スプリングはテーパばねであり、前記固定座の外表面に前記テーパばねと合わせて螺旋溝が設けられ、前記固定座は前記螺旋溝の上方に一つ凸縁を形成し、前記凸縁に前記螺旋溝と連通している開口部が設けられ、前記テーパばねの一端は前記開口部を通して自由に前記螺旋溝を回りつつ出入りすることができることを特徴とする請求項１に記載の着脱に便利なスプリングベッド。
【請求項３】
前記凸縁の外縁は下へと折り返して阻板になることを特徴とする請求項２に記載の着脱に便利なスプリングベッド。
【請求項４】
前記テーパばねには一つの大きい端及び一つの小さい端があり、テーパばねの小さい端は前記固定座と接続し、テーパばねの大きい端の一周は密閉構造に呈することを特徴とする請求項２に記載の着脱に便利なスプリングベッド。
【請求項５】
前記横棒は前段、後段、前段と後段を接続する中間段を含み、中間段と前段は回転可能に接続するか又は取外し可能に差し込んで接続し、中間段と後段は回転可能に接続するか又は取外し可能に差し込んで接続することを特徴とする請求項１に記載の着脱に便利なスプリングベッド。
【請求項６】
中間段の両端にそれぞれ弾性ビーズがあり、前段、後段にそれぞれ通孔があり、弾性ビーズは通孔に嵌ることができることを特徴とする請求項５に記載の着脱に便利なスプリングベッド。
【請求項７】
中間段と前段、後段はちょうつがいで連結され、折り畳む時に、前段、後段はそれぞれ中間段の左右両側に折り畳まれることを特徴とする請求項５に記載の着脱に便利なスプリングベッド。
【請求項８】
中間段と前段、後段は回転可能に鋲締めされ、折り畳むときに、前段、後段、中間段の三つは上下積み重ねてかれていることを特徴とする請求項５に記載の着脱に便利なスプリングベッド。
【請求項９】
前記前段の上面に凸枕が設けられ、二つの横棒の凸枕の間に縦棒で接続していることを特徴とする請求項５に記載の着脱に便利なスプリングベッド。
【請求項１０】
前記凸枕はП形の構造に呈することを特徴とする請求項１０に記載の着脱に便利なスプリングベッド。
【請求項１１】
前記横棒の上部に若干の定位部品が設けられ、前記定位部品は中部には定位孔のある嵌合構造であり、前記縦棒の端部は下へと曲がり折り、介挿部材に形成し、介挿部材を定位孔に挿しいれることを特徴とする請求項１に記載の着脱に便利なスプリングベッド。
【請求項１２】
マットレスをさらに含み、前記マットレスは若干の弾性ユニットを含み、隣接している二つの弾性ユニットの間は接続ベルトで接続され、折り畳むときに、これらの弾性ユニットは積み重ねて置くことができることを特徴とする請求項１に記載の着脱に便利なスプリングベッド。
【請求項１３】
対称に配置される二本の平行な横棒と間隔を置いて平行配置される数本の縦棒を含み、縦棒の両端をそれぞれ取外し可能に二本の横棒に取り付け、さらに若干のスプリングを含み、前記縦棒の長さの方向に沿って間隔を置いて若干の固定座が設置され、前記スプリングを取外し可能に前記固定座に取り付ける着脱に便利なスプリングベッドであって、
前記横棒は前段、後段、前段と後段を接続する中間段を含み、中間段と前段は回転可能に接続するか又は取外し可能に差し込んで接続し、中間段と後段は回転可能に接続するか又は取外し可能に差し込んで接続する、
ことを特徴とする着脱に便利なスプリングベッド。
【請求項１４】
中間段の両端にそれぞれ弾性ビーズが置かれ、前段、後段にそれぞれ通孔があり、弾性ビーズは通孔に嵌ることができることを特徴とする請求項１３に記載の着脱に便利なスプリングベッド。
【請求項１５】
中間段と前段、後段はちょうつがいで連結され、折り畳む時に、前段、後段はそれぞれ中間段の左右両側に折り畳まれることを特徴とする請求項１３に記載の着脱に便利なスプリングベッド。
【請求項１６】
中間段と前段、後段は回転可能に鋲締めされ、折り畳むときに、前段、後段、中間段の三つは上下積め重ねて置いていることを特徴とする請求項１３に記載の着脱に便利なスプリングベッド。
【請求項１７】
前記前段の上面に凸枕が設けられ、二つの横棒の凸枕の間は縦棒で接続していることを特徴とする請求項１３に記載の着脱に便利なスプリングベッド。
【請求項１８】
二つの支持脚架をさらに含み、横棒の両端をそれぞれ二つの支持脚架に支えることを特徴とする請求項１３に記載の着脱に便利なスプリングベッド。
【請求項１９】
前記スプリングはテーパばねであり、前記固定座の外表面に前記テーパばねと合わせて螺旋溝が設けられ、前記固定座は前記螺旋溝の上方に一つ凸縁を形成し、前記凸縁に前記螺旋溝と連通している開口部が設けられ、前記テーパばねの一端は前記開口部を通して自由に前記螺旋溝を回りつつ出入りすることができることを特徴とする請求項１３に記載の着脱に便利なスプリングベッド。
【請求項２０】
前記テーパばねには一つの大きい端及び一つの小さい端があり、テーパばねの小さい端は前記固定座と接続し、テーパばねの大きい端の一周は密閉構造であることを特徴とする請求項１３に記載の着脱に便利なスプリングベッド。
【請求項２１】
前記縦棒の長さの方向に沿って間隔を置いて若干の固定座が設置され、梱包する時に、二つの縦棒のテーパばねは交差可能に互いに嵌合し、又は、固定座から取り外して積み重ねて置くことができることを特徴とする請求項１３に記載の着脱に便利なスプリングベッド。
【請求項２２】
マットレスをさらに含み、前記マットレスは若干の弾性ユニットを含み、隣接している二つの弾性ユニットの間は接続ベルトで接続され、折り畳むときに、これらの弾性ユニットは積み重ねて置くことができることを特徴とする請求項１３に記載の着脱に便利なスプリングベッド。
【考案の詳細な説明】
【技術分野】
【０００１】
本考案は着脱が便利なスプリングベッドに関わる。
【背景技術】
【０００２】
現在、生活水準が高くなると共に、キャンプ、自車旅行等アウトドアレジャー活動は人々の生活の中に次第に入りこんできた。アウトドアでキャンプする時は、ジョイントマット又は寝袋に寝ることは一般的であるが、地面が硬く且つでこぼこしているので、快適に寝ることができない。その他、地面の湿度が高く、風邪を引きやすいので、肩こりや筋肉痛になりやすい。特に、腰椎、頚椎の悪い人は、なおさら地面ではあまり眠れない。さらに、もし夜中に、雨が降ると、雨宿りするところもない。
【０００３】
そのため、ある人は容易に携帯できる折り畳みベッドを設計し、使用しない時に、折り畳みベッドを折り畳み、乗用車のトランクに収納する。しかし、折り畳みベッドを使用する時間が長くなると、快適性がなくなる。また、折り畳みベッドを折り畳むと、長さが短くなるが、幅は相変わらず長いので、折り畳んでも比較的に大きい保存スペースを占め、小さい乗用車のトランクに保存できず、携帯は不便である。
【考案の概要】
【考案が解決しようとする課題】
【０００４】
本考案は着脱が便利なスプリングベッドを提供し、携帯が便利である。技術問題を克服するため、本考案が採用する技術案は以下である。
【課題を解決するための手段】
【０００５】
着脱が便利なスプリングベッドは対称に配置される二本の平行な横棒と数本の間隔を置いて平行配置される縦棒を含み、縦棒の両端をそれぞれ取外し可能に二本の横棒に取り付け、さらに若干のスプリングを含み、前記縦棒に、長さの方向に沿って間隔を置いて若干の固定座が設置され、前記スプリングを取外し可能に前記固定座に取り付ける。
【０００６】
着脱が便利なスプリングベッドは対称に配置される二本の平行な横棒と数本の間隔を置いて平行配置される縦棒を含み、縦棒の両端をそれぞれ取外し可能に二本の横棒に取り付け、前記横棒は前段、後段、前段と後段を接続する中間段を含み、中間段と前段は回転可能に接続するか又は取外し可能に差し込んで接続し、中間段と後段は回転可能に接続するか又は取外し可能に差し込んで接続する。
【考案の効果】
【０００７】
本技術は背景技術と比べ、以下のメリットがある。
【０００８】
１.縦棒の両端をそれぞれ取外し可能に二本の横棒に取り付け、縦棒が取り外されると、単独梱包することができる。スプリングは取外し可能に前記固定座に取り付けられ、スプリングが取り外されると、単独梱包することができる。前記スプリングベッドには保存に便利で携帯に便利なメリットがある。その他、スプリングがあることで、快適性が大幅に向上し、消費者のニーズを満足することができる。
【０００９】
２．梱包する時に、二つの縦棒のテーパばねは交差して互いに嵌合することができ、このことで、一つの縦棒のテーパばねがもう一つのテーパばねに嵌り込む。これらの縦棒はテーパばねとともに緊密に並び、梱包袋の体積が大幅に減らすことができ、且つ、テーパばねを繰り返して取り外すことが不要になる。
【００１０】
３.前記テーパばねは自由に前記螺旋溝を回りながら出入りすることができ、テーパばねの取外しが便利で速い。テーパばねを取り外すと、個別梱包することができるので、スプリングベッドの梱包体積を有効に減少させる。
【００１１】
４．前記中間段と前段、後段は回転可能に接続でき、又は取り外し可能に挿し込んで接続でき、横棒は取外し、又は折り畳んで梱包することができる。使用しない時に、横棒を取外し、又は折り畳むことで、横棒の長さを短くすることができるので、梱包や携帯は便利である。
【図面の簡単な説明】
【００１２】
以下は図と実施例を結合して本考案を更なる説明する。
【００１３】
図１は本考案の着脱が便利なスプリングベッドの実施例一の立体構造図である。
【００１４】
図２は図１に示すスプリングベッドの横棒と縦棒の略図である。
【００１５】
図３は図１に示すスプリングベッドのスプリングと縦棒の接続略図である。
【００１６】
図４は図１に示すスプリングベッドの固定座の変形略図である。
【００１７】
図５は図１に示すスプリングベッド（マットレスを含まない）を折り畳んだ後の略図である。
【００１８】
図６は図１に示すスプリングベッドのマットレスを折り畳んだ後の略図である
【００１９】
図７は図１に示すスプリングベッドの横棒の第一種の変形の略図である。
【００２０】
図８は図１に示すスプリングベッドの横棒の第二種の変形の略図である。
【００２１】
図９は本考案の着脱が便利なスプリングベッドの実施例二の略図である。
【００２２】
図１０は図９に示すスプリングベッドの縦棒とテーパばねを折り畳んだ後の略図である。
【００２３】
図１１は図９に示すスプリングベッドの横棒を折り畳んだ後の略図である。
【考案を実施するための形態】
【００２４】
＜実施例一＞
図１から図３に示すように、本考案の着脱が便利なスプリングベッドは、対称に配置される二本の平行な横棒１０と数本の間隔を置いて平行配置される縦棒２０を含み、縦棒２０の両端をそれぞれ取外し可能に二本の横棒１０に取り付ける。さらに若干のスプリング３０を含み、前記縦棒２０に、長さの方向に沿って間隔を置いて若干の固定座２２が設置され、前記スプリング３０を取外し可能に前記固定座２２に取り付ける。
【００２５】
前記スプリング３０はテーパばねであり、前記固定座２２の外表面に前記テーパばねと合わせて螺旋溝２２２が設けられ、前記固定座２２は前記螺旋溝の上方に凸縁２２４を形成し、前記凸縁２２４に前記螺旋溝と連通している開口部２２６が設けられ、前記テーパばね３０の一端は前記開口部２２６を通して自由に前記螺旋溝２２２を回りながら出入りすることができる。図４に示すように、好ましい実施形態において、前記凸縁２２４の外縁は下へと折り返して阻板２２８になる。
【００２６】
図３と図４に示すように、前記テーパばね３０には一つの大きい端及び一つの小さい端があり、テーパばね３０の小さい端は前記固定座２２と接続し、テーパばね３０の大きい端の一周は密閉構造である。図５に示すように、前記縦棒２０に、長さの方向に沿って間隔を置いて若干の固定座２２が設置され、梱包する時に、二つの縦棒２０のテーパばね３０は交差可能に互いに嵌合することができ、又は、テーパばね３０を固定座２２から取り外して単独に積み重ねて置くこともできる。
【００２７】
図２に示すように、前記横棒１０は前段１２、後段１４、前段と後段を接続する中間段１６を含み、横棒１０は三段式の構造であり、中間段１６と前段１２は取外し可能に差し込んで接続し、中間段１６と後段１４は回転可能に接続するか又は取外し可能に差し込んで接続する。前記中間段１６の両端はそれぞれ前段１２と後段１４に挿入する。中間段１６の両端にそれぞれ弾性ビーズがあり、前段１２、後段１４はそれぞれ通孔があり、弾性ビーズは通孔に嵌ることができる。梱包するときに、横棒１０は取外し可能に、三段に分けて縦棒２０と一緒に置くことができ、又は、横棒１０は取外し可能に、縦棒２０と分けて置くこともできる。
【００２８】
図７と図８に示すように、中間段１６と前段１４は回転可能に接続し、中間段１６と後段１４は回転可能に接続している。中間段１６と前段１２、後段１４はちょうつがいで連結され、折り畳む時に、前段１２、後段１４はそれぞれ中間段１６の左右両側に折り畳む。又は、中間段１６と前段１２、後段１４は回転可能に鋲締めされ、中間段１６と前段１２の鋲締めする位置は中間段１６と後段１４の鋲締めする位置より低く、折り畳むときに、前段１２、後段１４、中間段１６の三つは上下積み重ねて置じゃれている。梱包する時に、横棒１０を折り畳んで縦棒２０と一緒に置くことができ、又は、横棒１０を折り畳んで、縦棒２０と分けて置くこともできる。
【００２９】
図１と図２に示すように、前記前段１２の上面に凸枕１８が設けられ、二つの横棒の凸枕１８の間に縦棒２０で接続している。前記凸枕１８はП形の構造に呈する。前記横棒１０の上部に若干の定位部品４０が設けられ、前記定位部品４０は中部には定位孔のある嵌合構造であり、前記縦棒２０の端部は下へと曲がり折り、介挿部材２１に形成し、介挿部材２１を定位孔４０に挿入する。
【００３０】
図１と図６に示すように、本考案のスプリングベッドはさらにマットレス５０を含み、前記マットレス５０は若干の弾性ユニット５２を含み、隣接している二つの弾性ユニット５２の間は接続ベルト５４で接続される。接続ベルト５４の幅は一つの弾性ユニット５２の厚さに合わせて設置する。折り畳むときに、これらの弾性ユニット５２は積み重ねて置くことができる。
＜実施例二＞
【００３１】
図９から図１１に示すように、実施例二と実施例一の区別は、横棒の前段１２、後段１４と中間段１６はちょうつがいで連結され、折り畳んだ後の横棒１０はП形の構造に呈する。さらに、二つの支持脚架６０を含み、横棒１０の両端をそれぞれ二つの支持脚架６０に支える。二つの縦棒２０の同じ方向の端部は接続部品７０で接続される。二つの縦棒２０と二つの接続部品７０とを囲んで長方形構造になる。梱包する時に、二つの縦棒２０と二つの接続部品７０を長方形に囲んで積み重ねて置き、テーパばね３０は長方形構造の真ん中に置かれる。
【００３２】
本考案のスプリング構造は取外し可能に接続され、且つ接続方法が簡単であり、徒手で完成することができる。且つ、多種の組合せがあり、スプリングと縦棒が接続している状態で梱包してもよいが、スプリングと縦棒を分離した後に、梱包してもよい。取外し作業が迅速に完成でき、携帯も便利である。且つ、人が旅行に使われるベッドの要求も満足できる。
【図１】
0003215712.tif 000003
【図２】
0003215712.tif 000004
【図３】
0003215712.tif 000005
【図４】
0003215712.tif 000006
【図５】
0003215712.tif 000007
【図６】
0003215712.tif 000008
【図７】
0003215712.tif 000009
【図８】
0003215712.tif 000010
【図９】
0003215712.tif 000011
【図１０】
0003215712.tif 000012
【図１１】
0003215712.tif 000013
【手続補正書】
【提出日】平成30年2月6日(2018.2.6)
【手続補正１】
【補正対象書類名】実用新案登録請求の範囲
【補正対象項目名】請求項１０
【補正方法】変更
【補正の内容】
【請求項１０】
前記凸枕はП形の構造に呈することを特徴とする請求項９に記載の着脱に便利なスプリングベッド。
【手続補正２】
【補正対象書類名】実用新案登録請求の範囲
【補正対象項目名】請求項２０
【補正方法】変更
【補正の内容】
【請求項２０】
前記テーパばねには一つの大きい端及び一つの小さい端があり、テーパばねの小さい端は前記固定座と接続し、テーパばねの大きい端の一周は密閉構造であることを特徴とする請求項１９に記載の着脱に便利なスプリングベッド。